(57)【要約】【課題】  安価なセキュリティ機構を実現し、回転検出部等の故障があっても情報処理装置の操作制限を確実に行うようにする。【解決手段】  鍵の挿抜及び回転を検知し当該検出結果に基づき情報処理装置の操作制限するようにした。或いは、鍵の回転、抜き取りのいずれも検出もできない場合において、所定の時間、入力装置の操作がなかったときは情報処理装置の操作を制限するようにした。或いは、鍵９を所定の角度回転した位置で抜くことができるようにし、当該操作により情報処理装置の入力作業を一時中断することができるようにした。或いは、鍵９を複数の回転した位置で挿抜できるようにし、各回転位置ごとに作業の中断時間を設定できるようにした。【選択図】      図２
2007004477.tif 000002
【特許請求の範囲】
【請求項１】
鍵の挿抜及び回転を検出する検出手段を設け、
当該検出結果に基づき、操作を制限するようにしたことを特徴とする情報処理装置。
【請求項２】
前記検出手段により前記鍵の抜き取りおよび回転のいずれも検出できない場合において、所定の時間、操作がなかったときに情報処理装置の操作を制限するようにしたことを特徴とする請求項１記載の情報処理装置。
【請求項３】
前記鍵を回転した位置で抜いたときは、情報処理装置の操作を、所定の時間、制限するようにしたことを特徴とする請求項１および請求項２記載の情報処理装置。
【請求項４】
前記鍵の複数の回転位置を検出可能とし、各回転位置ごとに情報処理装置の操作を制限する時間を設定できるようにしたことを特徴とする請求項３記載の情報処理装置。
【発明の詳細な説明】
【技術分野】
【０００１】
この発明は、鍵を用いて操作を制限する情報処理装置に関するものである。
【背景技術】
【０００２】
従来、鍵を用いて操作を制限する情報処理装置としては、認証コードを半導体チップに格納した電子鍵とし、当該電子鍵を挿入して認証コードが一致しないと情報処理装置の電源投入ができず使用ができないようにするものがあった（例えば、特許文献１参照。）。
【０００３】
或いは、単なる施解錠機構として、鍵を挿入し回転させることにより、鍵の先端に設けたアンテナより鍵の認証情報を送信し開錠する技術があった（例えば、特許文献２参照。）。
【０００４】
或いは、コストアップを避けるために、簡単な機構によりセキュリティを維持する技術として、以下のような技術があった。すなわち、当該従来のセキュリティ機構は、図１２のセキュリティ機構の外観図、図１３の内部構成図、図１４の横断面図に示したように鍵９を挿入するキーシリンダ１、鍵９の回転を伝達する回転伝達部２と、当該回転により端子４ａ、４ｂを短絡して回転を検出する回転検出部４とからなる。
【０００５】
そして、前記回転伝達部２は、図１３の内部構成図のように、鍵９の回転により台座２３に設けた軸２２を支点としてカム２１をＡ方向に回転させ、開閉板３１を接触端子部３２に接触させることにより端子４ａ、４ｂを短絡させる機構となっている。
【０００６】
以上の機構により、鍵９を回転していないときは、開閉板３１と接触端子３２は接触せず、端子４ａと４ｂも開放状態となるので、この開放状態を検出したときは、情報処理装置の操作の一部または全部を制限し、例えばキーボードの入力信号を遮断し、使用できないようにしていた。
【０００７】
そして、鍵９を保持したオペレータが、鍵９をキーシリンダ１に挿入して反時計方向である矢印Ａ方向に略９０度回すと、端子４ａと４ｂが短絡するので、この状態を検出して情報処理装置は、キーボードの入力信号を遮断しないようにし、情報処理装置を使用できるようにしていた。
【特許文献１】特開２００３−９９１４７号公報
【特許文献２】特開２００１−３３６３２０号公報
【発明の開示】
【発明が解決しようとする課題】
【０００８】
しかしながら、上記特許文献１および２記載の従来技術では、鍵内部に半導体チップを設け、識別情報を読み出す回路や無線送信データの受信のための回路などが必要であり、安価なセキュリティ機構とはなっていなかった。
【０００９】
そして、図１２ないし図１４にて示した安価な前記従来の構成のセキュリティ機構においては、回転検出部４の故障により端子４ａ・４ｂ間が鍵９の回転に関係なく継続して短絡となってしまった場合などでは、オペレータが鍵９を抜いて立ち去ったとしても、キーボードの入力が有効になった状態が継続し、だれでも操作することができてしまうという問題があった。
【課題を解決するための手段】
【００１０】
本発明は、前述の課題を解決するため次の構成を採用する。すなわち、鍵の挿抜及び回転を検出する検出手段を設け、当該検出結果に基づき、情報処理装置の操作を制限するようにした。
【発明の効果】
【００１１】
本発明のセキュリティ機構を有する情報処理装置によれば、鍵の回転及び挿抜の検知結果に基づきキーボード入力等の使用を制限するようにしたので、鍵の回転を検出する回転検出部が故障しても、鍵を抜いたときにキーボード入力等の使用を確実に制限することができる。
【発明を実施するための最良の形態】
【００１２】
以下、本発明に係る実施の形態例を、図面を用いて説明する。図面に共通する要素には同一の符号を付す。なお、以下の説明では、入力装置としてキーボードを例として説明しているが、これには限らない。例えばマウスやタブレットなどでもよい。
【実施例１】
【００１３】
実施例１のセキュリティ機構を有する情報処理装置は、鍵の回転及び挿抜を検知し当該検知結果に基づきキーボード入力を制限するようにしたものである。
【００１４】
（構成）
図１は、実施例１のセキュリティ機構を有する情報処理装置全体の構成図である。実施例１の情報処理装置１００は、情報処理装置の中央制御部であるＣＰＵ１０３と、後述の各部を制御するシステムコントローラ１０２と、当該制御を行うためのプログラムや各状態を格納するメモリ１０４と、鍵９の回転を検出するセキュリティ機構部１０１と、ＣＲＴやＬＣＤなどのディスプレイ１０５、キー入力操作を行うためのキーボード１０６、アプリケーションプログラムなどを格納するＨＤＤ１０７、その他ＵＳＢ等の汎用Ｉ／Ｏ１０８とから構成され、同図のように接続されている。
【００１５】
前記、セキュリティ機構部１０１は、後述の図２、図３に示す端子４ａ・４ｂ、および端子７ａ・７ｂが短絡した場合に、キーボード１０６の入出力信号を有効にする機能を有する。
【００１６】
図２および図３は、実施例１のセキュリティ機構の構成図であり、同図に示したように、鍵９を挿入するキーシリンダ１、当該挿入により先端で押された挿入力を伝達する挿入伝達部５、鍵９が回転したことを検出する回転検出部４、当該回転により短絡する端子４ａ・４ｂ、挿入伝達部５により前記挿入により開閉版を接触端子に接触させる挿入検出部７、当該接触により短絡する端子７ａ・７ｂとからなる。
【００１７】
なお、セキュリティ機構の内部構成は、前述図１３に示した構成と同様であり、鍵９の回転により台座２３に設けた軸２２を支点としてカム２１を反時計方向に回転させ、開閉板３１を接触端子部３２に接触させることにより端子４ａ、４ｂを短絡させる機構となっている。
【００１８】
また、前記挿入伝達部５は、バネ５１と可動バー５２とから構成され、挿入検出部７は、開閉板６１および接触端子６２からなる。
【００１９】
（動作）
以上の構成により、実施例１の情報処理装置は、以下のように動作する。この動作を図４の実施例１のセキュリティ機構の動作フローチャートを用いて説明する。なお、後述の各実施例の動作フローチャートの説明においては、便宜上、オペレータの操作ステップを「ＰＳ」 として、セキュリティ機構に関する動作ステップを「Ｓ」として表す。
【００２０】
使用を許可され鍵９を保持するオペレータが情報処理装置を使用する場合、先ず、鍵９をキーシリンダ１に挿入すると（ステップＰＳ１）、可動バー５２が押され、開閉板６１と接触端子６２が接触することにより、端子７ａ・７ｂが短絡する。
【００２１】
すると、システムコントローラ１０２は、セキュリティ機構部１０１の端子７ａ・７ｂ間が短絡していることを検出し、鍵９が挿入されたことを検知する（ステップＳ１）。
【００２２】
次に、鍵９を反時計方向に回すと（ステップＰＳ２）、軸２２を通じてキーシリンダ１の回転に連動してカム２１が回転し、開閉板３１と接触端子３２を接触させる。開閉板３１と接触端子３２を接触させると端子４ａ・４ｂが短絡する。
【００２３】
すると、システムコントローラ１０２は、端子４ａ・４ｂ間が短絡したことを検知して（ステッＳ２）、キーボード１０６の入出力信号を有効にする（ステップＳ３）。ここで、ステップＳ３にてキーボード１０６の入力を有効とする前のキーボード入力作業Ａ（ステップＰＳ３’）では、キーボード入力しても"ラ"印で示したようにその入力が遮断される。
【００２４】
次に、オペレータはキーボード１０６による所望のキーボード入力作業Ｂを行い（ステップＰＳ３）、作業完了後、鍵９を時計方向に回転し抜き取り可能な位置に戻す（ステップＰＳ４・ＰＳ５）。
【００２５】
すると、端子４ａ・４ｂ間および端子７ａ・７ｂ間が開放されるので、まず、端子４ａ・４ｂ間の開放を検知し開放を検知した場合は、キーボード１０６の入力を無効とする（ステップＳ６）。端子４ａ・４ｂ間の開放が故障等で検知できない場合でも、端子７ａ・７ｂ間の開放を検知し開放を検知した場合は（ステップＳ５）、同様にキーボード１０６の入力を無効とする（ステップＳ６）。
【００２６】
一方、端子４ａ・４ｂ、端子７ａ・７ｂ間のいずれの開放も検知しないときは、ステップＳ４に戻り、そのまま継続してキーボード入力を有効とする。
【００２７】
（実施例１の効果）
以上詳細に述べたように、実施例１のセキュリティ機構を有する情報処理装置によれば、鍵９の回転及び挿抜を検知し当該検知結果に基づきキーボード１０６の入力を制限するようにしたので、故障等により端子４ａ・４ｂが短絡されたままであっても、鍵９が抜かれることにより、キーボード１０６の入力を確実に無効することができ、セキュリティ性の高い情報処理装置を実現するができる。
【実施例２】
【００２８】
実施例２のセキュリティ機構を有する情報処理装置は、鍵の回転検出部および挿入検出部が故障していた場合であっても、キーボード入力を制限できるようにしたものである。
【００２９】
（構成）
図５は、実施例２のセキュリティ機構を設けた情報処理装置全体の構成図である。実施例２の情報処理装置は、キーボード１０６とシステムコントローラ１０２間にタイマスイッチ部１０９を設けた構成となっている。セキュリティ機構部１０１、その他の構成は実施例１の情報処理装置の構成と同様であるので簡略化のためにその説明を省略する。
【００３０】
前記タイマスイッチ部１０９は、タイマカウントを行うタイマ機能と、タイマ設定した所定の時間経過後、キーボード１０６とシステムコントローラ１０２間の接続を遮断する機能を有する。すなわち、図６に示したように、タイマ部１０９ｔと、物理的リレーやＦＥＴトランジスタなどのアナログスイッチからなるスイッチ部１０９ｓから構成され、各端子がキーボード１０６とシステムコントローラ１０２に接続される構成となっている。
【００３１】
（動作）
以上の構成により、実施例２の情報処理装置は、以下のように動作する。この動作を図７の動作フローチャートを用いて説明する。なお、ステップＳ１〜Ｓ６、ＰＳ１〜ＰＳ５は、実施例１と同様であるので、簡略化のためにその詳細な説明は省略する。
【００３２】
鍵９を保持するオペレータが鍵９をキーシリンダ１に挿入し反時計方向に回すと、システムコントローラ１０２は、端子７ａ・７ｂの短絡および端子４ａ・４ｂの短絡を検出するので、キーボード１０６の入力を有効にする（ステップＳ１〜Ｓ３・ＰＳ１〜ＰＳ２）。
【００３３】
次に、オペレータはキーボード１０６による所望のキーボード入力作業Ｂを行い、作業終了後、鍵９を挿抜可能な位置に回転して抜き取る（ステップＰＳ３〜ＰＳ５）。
【００３４】
そして、ステップＳ４にて端子４ａ・４ｂ間の開放が検出されたときは、キーボード１０６の入力を無効とする（ステップＳ６）。一方、ステップＳ４、Ｓ５にて、端子４ａ・４ｂ間および端子７ａ・７ｂ間の開放検知を行い、いずれも検知できなかった場合は、タイマスイッチ部１０９のタイマカウントを開始し（ステップＳ１１）、キーボード１０６からの入力があれば（ステップＳ１２）、ステップＳ４に戻り、キーボード入力可能な状態を維持する。
【００３５】
一方、キーボード入力が所定の時間なく、タイマカウントが所定の値になったとき、ステップＳ６に進み、前述タイマスイッチ部１０９により、タイマ設定した所定の時間経過したときは（ステップＳ１３）、キーボード１０６とシステムコントローラ１０２間の接続を遮断することによりキーボード１０６の入力を無効とする。
【００３６】
このとき、カウントアップ値は、カウントダウンに変換され、ディスプレイ１０５に表示される。なお、表示ではなく音声等を出力するようにしてもよいし、表示とともに音声等を出力するようにしても勿論よい。
【００３７】
以上の説明では、タイマスイッチ部１０９を設けた構成としたが、図８に示したように、タイマスイッチ部１０９の代わりに、タイマにより設定した所定の時間経過後にキーボードドライバにキーボード入力の処理を停止するように指示する機能を有する前記ドライバ停止タイマ部１１０を設けるようにしてもよい。
【００３８】
（実施例２の効果）
以上詳細に述べたように、実施例２のセキュリティ機構を有する情報処理装置によれば、回転検出部４および挿入検出部７のいずれも故障し、鍵９の抜き取りを検出できない場合であっても、所定の時間経過後、キーボード１０６の入力を遮断或いはキーボードドライバを停止することができ、セキュリティ性の高い情報処理装置を実現するができる。
【実施例３】
【００３９】
実施例３のセキュリティ機構を有する情報処理装置は、鍵９を回転した位置で抜くことができるようにし、キーボード入力作業の途中で作業を一時中断することができるようにしたものである。
【００４０】
（構成）
実施例３のセキュリティ機構では、キーシリンダ１の構成を、鍵９を回転した位置で挿抜可能とした構成としている。その他の構成は図２、図３にて示した実施例１、実施例２等のセキュリティ機構の構成と同様であるので、簡略化のためにその詳細な説明は省略する。
【００４１】
（動作）
以上の構成により、実施例３の情報処理装置は、以下のように動作する。この動作を図９の動作フローチャートを用いて説明する。なお、実施例３の情報処理装置では、図７の動作フローチャートにて説明したキーボード入力作業Ｂ（ＰＳ３）において、キーボード入力を中断するときの動作が異なるが、その他の動作は実施例２の動作と同様であるので、簡略化のために同様の部分については詳細な説明を省略する。
【００４２】
鍵９を挿入し回転すると、実施例２において図７を用いて説明したように、端子７ａ・７ｂ間、および端子４ａ・４ｂ間が短絡するので、これを検出するとキーボード入力を有効とし、キーボード入力作業Ｂを行う（ステップＰＳ１〜ＰＳ３・Ｓ１〜Ｓ３）。
【００４３】
そして、図９に示したように、オペレータが一時キーボード入力を中断したいときは、鍵９を回転したまま抜く（ＰＳ１１・ＰＳ１２）。すると、端子７ａ・７ｂ間が開放されるので、これを検知し（ステップＳ２１）、中断制限時間をカウントするタイマのカウントを開始する（ステップＳ２２）。
【００４４】
そして、中断制限時間を経過したどうかを判定し（ステップＳ２３）、経過していないときは、鍵９の挿入があったかどうか、すなわち端子７ａ・７ｂ間の短絡の検知を行い、鍵９が挿入されず端子７ａ・７ｂ間が短絡されていないときは、ステップＳ２３に戻り、タイマ監視を継続し鍵９が挿入されるのを待つ。
【００４５】
このとき、タイマカウンタ値は、キーボード入力を無効とするまでの残り時間に変換され、ディスプレイ１０５に表示する。なお、表示ではなく音声等を出力するようにしてもよいし、表示とともに音声等を出力するようにしても勿論よい。
【００４６】
一方、ステップＳ２４にて鍵９の挿入（ＰＳ１３）により端子７ａ・７ｂ間が短絡されていたときは、タイマをクリア（ステップＳ２５’）し、キーボード１０６の入力を有効として図７のステップＳ４へ戻り、キーボード入力を継続できるようにする（ステップＳ２８）。
【００４７】
一方、ステップＳ２３にて中断制限時間を経過したと判定したときは、タイマをクリアし（ステップＳ２５）、一旦、キーボード入力を無効とし（ステップＳ２６）、鍵９の挿入（ＰＳ１３’）を待ち、鍵９が挿入され、端子７ａ・７ｂ間が短絡したときにキーボード１０６を有効として図７のステップＳ４へ戻る（ステップＳ２７・２８）。
【００４８】
そして、再び図７のステップＳ４へ戻ると、オペレータはキーボード１０６による所望のキーボード入力作業Ｂを行い、作業終了後、鍵９を回転して挿抜可能な位置とし抜き取る（ステップＰＳ３〜ＰＳ５）。
【００４９】
そして、ステップＳ４、Ｓ５にて、システムコントローラ１０２が端子４ａ・４ｂ間および端子７ａ・７ｂ間の開放が検知できなかった場合、タイマスイッチ部１０９のタイマカウントを開始し、キーボード１０６からの入力があれば、ステップＳ４に戻り、キーボード入力可能な状態を維持する。
【００５０】
一方、キーボード入力がなかったときは、タイマカウントを継続し、所定の値になったとき、ステップＳ６に進み、前述タイマスイッチ部１０９またはドライバ停止タイマ１１０により、キーボード１０６の入力ができないようにする。
【００５１】
（実施例３の効果）
以上詳細に述べたように、実施例３のセキュリティ機構を有する情報処理装置によれば、鍵９を回転した位置で抜くことができるようにし当該操作によりキーボード入力を所定の時間中断できるようにしたので、セキュリティ性を維持したまま、簡単な操作によりキーボード入力作業を一時中断することができる。
【実施例４】
【００５２】
実施例４のセキュリティ機構を有する情報処理装置は、鍵９を複数の回転位置で抜くことができるようにし、各回転位置ごとにキーボード入力作業の一時中断時間を設定することができるようにしたものである。
【００５３】
（構成）
実施例４のセキュリティ機構では、まず、キーシリンダ１を、鍵９を９０度および１８０度回転した位置で挿抜可能とした構造としている。そして、図１０に示したように、台座２３の上部に端子４ａ・４ｂを有する回転検出部４を設け、左側に端子８ａ・８ｂを有する回転検出部８を設けた構成としている。
【００５４】
そして、鍵９を９０度回転することにより台座２３に設けた軸２２を支点としてカム２１を回転させ、開閉板３１を押し接触端子部３２に接触させることにより端子４ａ、４ｂを短絡させ、鍵９が１８０度回転したときは、カム２１をさらに回転させ、開閉板４１を押し接触端子４２に接触させることにより回転検出部８の端子８ａ、８ｂ間を短絡させ、９０度および１８０度の回転を検出する。
【００５５】
その他の構成は図２、図３にて示した実施例３等のセキュリティ機構の構成と同様であるので、簡略化のためにその詳細な説明は省略する。
【００５６】
（動作）
以上の構成により、実施例４の情報処理装置は、以下のように動作する。この動作を図１１の動作フローチャートを用いて説明する。なお、実施例４の情報処理装置では、ステップＳ３１ないしＳ３３の動作が異なるが、その他は実施例３の動作と同様であるので、簡略化のために同様の部分については詳細な説明を省略する。
【００５７】
まず、前述図７を用いて説明したように、鍵９を挿入し回転すると、端子４ａ・４ｂ間および端子７ａ・７ｂ間の短絡を検出しキーボード入力を有効とし、キーボード入力作業Ｂを行う（ステップＰＳ１〜ＰＳ３・Ｓ１〜Ｓ３）。
【００５８】
そして、図１１に示したように、オペレータが一時キーボード入力を中断したいときは、鍵９を回転したまま抜く（ＰＳ１１・ＰＳ１２）。すると、挿入検出部７の端子７ａ、７ｂ間が開放されるので、これを検知する（ステップＳ２１）。
【００５９】
そして、回転角度が９０度であるか１８０度であるかを端子４ａ・４ｂ間および端子８ａ・８ｂ間の開閉を検出することにより判定する（ステップＳ３１）。すなわち、端子４ａ・４ｂ間が短絡され、端子８ａ・８ｂ間が開放の場合は、回転角度が９０度であると判定し、端子８ａ・８ｂ間が短絡され、端子４ａ・４ｂ間が開放の場合は、回転角度が１８０度であると判定する。
【００６０】
回転が９０度であった場合は、短時間の一時中断を考慮しタイマ値Ｔ１としてやや短めの時間を設定し（ステップＳ３２）、回転１８０度であった場合は、比較的長い時間の中断を考慮し長めのタイマ値Ｔ２を設定する（ステップＳ３３）。
【００６１】
そして、中断制限時間をカウントするタイマカウントを開始し、中断制限時間を経過したどうかを判定し、経過していないときは、鍵９の挿入があったかどうかの検知を行い、鍵９が挿入されず端子７ａ・７ｂが短絡されていないときは、ステップＳ２３に戻り、タイマ監視を継続し鍵９が挿入されるのを待つ（ステップＳ２２〜２４）。
【００６２】
一方、ステップＳ２４にて鍵９の挿入（ＰＳ１３）により端子７ａ・７ｂ間が短絡されていたときは、タイマをクリア（ステップＳ２５’）し、キーボード１０６を有効として図７のステップＳ４へ戻り、キーボード入力を継続できるようにする（ステップＳ２８）。
【００６３】
一方、ステップＳ２３にて中断制限時間を経過したと判定したときは、タイマをクリアし（ステップＳ２５）、一旦、キーボード入力を無効とし（ステップＳ２６）、鍵９の挿入（ＰＳ１３’）を待ち、鍵９が挿入され、端子７ａ・７ｂ間が短絡したときにキーボード１０６を有効として図７のステップＳ４へ戻る（ステップＳ２７・２８）。
【００６４】
そして、再び図７のステップＳ４へ戻ると、オペレータはキーボード入力作業を行い、作業を終了し、鍵９を回転して抜き取ることによりキーボード１０６の入力を無効とする。
【００６５】
以上の説明では、鍵９の回転位置を９０度と１８０度の２つの回転位置にて中断時間を設定できるように説明したが、これには限らず、４５度置きに回転検出し、徐々に中断時間を長くするようにしてもよいし、さらに細かく分割して、それぞれ設定するタイマ値を変えられるようにしてもよい。
【００６６】
（実施例４の効果）
以上詳細に述べたように、実施例４のセキュリティ機構を有する情報処理装置によれば、鍵９を複数の回転した位置で挿抜可能とし、各回転位置ごとにキーボード入力作業の一時中断時間を設定することができるようにしたので、セキュリティ性を維持したまま、簡単な操作で所望の中断時間に設定することができる。
【００６７】
《その他の変形例》
（１）以上の実施例の説明では、鍵の回転および挿抜を検知しその結果に基づきキーボード入力の有効・無効を制御するように説明したが、各端子間が短絡したときに割込みを発生させ、各割込み処理にてキーボード入力の有効・無効を制御するようにしてもよいし、回転位置および挿抜に応じた各割込み処理にて特定なレジスタにそれぞれ異なる値を設定し、このレジスタの値によりキーボード入力の有効・無効を制御するようにしてもよい。
【００６８】
（２）また、以上の実施例の説明では、鍵９の回転を反時計方向に回転する例を説明したが、時計方向にも回転できるようにし、各回転角度に応じた回転検出部の検出結果に基づき、作業の制限や作業の中断時間の設定を行うようにしてもよい。
【００６９】
（３）また、以上の実施例の説明では、キーボード入力の有効・無効を制御する方法として、リレーやアナログスイッチにより接続を制御する方法、ソフトウェアドライバの動作を制御する方法について説明したが、ＢＩＯＳ（ＢＡＳＩＣ  ＩＮＰＵＴ  ＯＵＴＰＵＴ  ＳＹＳＴＥＭ）を制御するようにしてもよい。
【００７０】
（４）また、以上の実施例の説明では、キーボード、マウス等の専用のインタフェースにて接続された入力装置の入力を制限する方法について説明したが、ＵＳＢ（ＵＮＩＶＥＲＳＡＬ  ＳＥＲＩＡＬ  ＢＵＳ）などの汎用インタフェースや無線インタフェース、その他のインタフェースも同時に使用制限するようにするとよい。
【産業上の利用可能性】
【００７１】
以上述べたように、本発明は、セキュリティ機能を有する情報処理装置に広く用いることができる。
【図面の簡単な説明】
【００７２】
【図１】実施例１の情報処理装置の構成図である。
【図２】実施例１のセキュリティ機構の構造図である。
【図３】実施例１のセキュリティ機構の構造図（拡大図）である。
【図４】実施例１のセキュリティ機構の動作フローチャート図である。
【図５】実施例２の情報処理装置の構成図である。
【図６】実施例２のタイマスイッチ部の構成図である。
【図７】実施例２のセキュリティ機構の動作フローチャート図である。
【図８】実施例２の情報処理装置の変形例の構成図である。
【図９】実施例３のセキュリティ機構の動作フローチャート図である。
【図１０】実施例４のセキュリティ機構の構成図である。
【図１１】実施例３のセキュリティ機構の動作フローチャート図である。
【図１２】従来のセキュリティ機構の外観図である。
【図１３】従来のセキュリティ機構の内部構成図である。
【図１４】従来のセキュリティ機構の横断面を示す図である。
【符号の説明】
【００７３】
１    キーシリンダ
４、８    回転検出部
４ａ、４ｂ、７ａ、７ｂ、８ａ、８ｂ    端子
７    挿入検出部
９    鍵
１００、２００、３００  情報処理装置
１０１  セキュリティ機構部
１０９  タイマスイッチ部
１１０  ドライバ停止タイマ
【図１】
2007004477.tif 000003
【図２】
2007004477.tif 000004
【図３】
2007004477.tif 000005
【図４】
2007004477.tif 000006
【図５】
2007004477.tif 000007
【図６】
2007004477.tif 000008
【図７】
2007004477.tif 000009
【図８】
2007004477.tif 000010
【図９】
2007004477.tif 000011
【図１０】
2007004477.tif 000012
【図１１】
2007004477.tif 000013
【図１２】
2007004477.tif 000014
【図１３】
2007004477.tif 000015
【図１４】
2007004477.tif 000016